(57)【要約】一例は流体吐出装置を提供し、その流体吐出装置は、複数の液滴吐出器に流体を供給するために、流体吐出装置のプリントヘッドダイの長さに沿った流体供給スロットと、複数の液滴吐出器からの流体の小滴の吐出を制御するために流体供給スロットの少なくとも片側に隣接した制御回路と、プリントヘッドダイの端部にあり、制御回路に電力を供給するための単一の電力供給コネクタとを含む。【選択図】図１
2016538169.tif 000002
【特許請求の範囲】
【請求項１】
流体吐出装置であって、
複数の液滴吐出器に流体を供給するために、前記流体吐出装置のプリントヘッドダイの長さに沿った流体供給スロットと、
前記複数の液滴吐出器からの流体の小滴の吐出を制御するために流体供給スロットの少なくとも片側に隣接した制御回路と、
前記プリントヘッドダイの第１の端部にあり、前記制御回路に電力を供給するための単一の電力供給コネクタと、
前記プリントヘッドダイの前記第１の端部の反対側の第２の端部にあり、前記制御回路を接地に接続するための接地コネクタとを含む、流体吐出装置。
【請求項２】
前記接地コネクタが、第１の接地コネクタであり、前記流体吐出装置が、前記プリントヘッドダイの前記第１の端部に、前記制御回路用の第２の接地コネクタを含む、請求項１に記載の装置。
【請求項３】
前記接地コネクタが、前記制御回路用の単一の接地コネクタである、請求項１に記載の装置。
【請求項４】
前記流体供給スロットが、前記プリントヘッドダイの前記第１の端部と第２の端部との間に延在する、請求項１に記載の装置。
【請求項５】
前記流体供給スロットが第１の流体供給スロットであり、前記複数の液滴吐出器が第１の複数の液滴吐出器であり、前記装置が、第２の複数の液滴吐出器へ流体を供給するために前記プリントヘッドダイの長さに沿って、前記第１の流体供給スロットに平行な第２の流体供給スロットを含む、請求項１に記載の装置。
【請求項６】
前記制御回路が第１の制御回路であり、前記装置が、前記第２の複数の液滴吐出器からの流体の小滴の吐出を制御するために前記第２の流体供給スロットの少なくとも片側に隣接した第２の制御回路を含む、請求項５に記載の装置。
【請求項７】
前記単一の電力供給コネクタが、前記第２の制御回路に電力を供給することができ、前記接地コネクタが前記第２の制御回路を接地に接続することができる、請求項６に記載の装置。
【請求項８】
流体吐出装置であって、
流体を第１の複数の液滴吐出器へ供給するための第１の流体供給スロット、及び流体を第２の複数の液滴吐出器へ供給するための第２の流体供給スロットを含む複数の流体供給スロットと、
前記第１の複数の液滴吐出器からの流体の小滴の吐出を制御するために前記第１の流体供給スロットの少なくとも片側に隣接した第１の制御回路、及び前記第２の複数の液滴吐出器からの流体の小滴の吐出を制御するために前記第２の流体供給スロットの少なくとも片側に隣接した第２の制御回路と、
前記複数の流体供給スロットの端部に隣接し、前記第１の制御回路および前記第２の制御回路に電力を供給するための単一の電力供給コネクタとを含む、流体吐出装置。
【請求項９】
前記端部が第１の端部であり、前記装置が、前記第１の制御回路および前記第２の制御回路を接地に接続するために、前記複数の流体供給スロットの前記第１の端部の反対側の第２の端部に隣接した接地コネクタを更に含む、請求項８に記載の装置。
【請求項１０】
前記接地コネクタが、前記第１の制御回路および前記第２の制御回路を接地に接続するための単一の接地コネクタである、請求項９に記載の装置。
【請求項１１】
前記端部が第１の端部であり、前記装置には、前記複数の流体供給スロットの前記第１の端部の反対側の第２の端部に隣接した電力供給コネクタがない、請求項８に記載の装置。
【請求項１２】
前記装置が、プリントヘッドダイ、インクジェットカートリッジ、又はインクジェット印刷システムである、請求項８に記載の装置。
【請求項１３】
プリントヘッドダイの流体供給スロットにより、流体を複数の液滴吐出器に供給し、
前記プリントヘッドダイの端部にある単一の電力供給コネクタにより、前記流体供給スロットの少なくとも片側に隣接した制御回路に電力を供給し、
前記制御回路により、前記複数の液滴吐出器からの小滴の吐出を制御することを含む、方法。
【請求項１４】
前記端部が第１の端部であり、前記方法は、前記プリントヘッドダイの前記第１の端部の反対側の第２の端部にある接地コネクタにより、前記制御回路を接地に接続することを更に含む、請求項１３に記載の方法。
【請求項１５】
前記単一の電力供給コネクタにより、前記プリントヘッドダイの別の流体供給スロットの少なくとも片側に隣接した別の制御回路に電力を供給することを更に含む、請求項１３に記載の方法。
【発明の詳細な説明】
【技術分野】
【０００１】
背景
インクジェット印刷システム、及び幾つかのインクジェットプリントヘッドアセンブリ（組立体）のような交換可能なプリンタ構成要素（コンポーネント）は一般に、印刷媒体上にインクを吐出するための多数のノズルを有するプリントヘッドダイを含む。プリントヘッドダイは、プリントヘッドダイのノズルの動作を制御するための信号接続および電力接続用の電気インターフェースを含むことができる。プリントヘッドダイのサイズは小さくなり続けているが、プリントヘッドダイのサイズを低減できる限界は、電気信号接続および電力接続をプリントヘッドに提供するのに必要な面積により制限され得る。
【０００２】
詳細な説明のセクションは、一例として添付図面を参照し、添付図面の全てには、様々な実施形態が具現化され得る。
【図面の簡単な説明】
【０００３】
【図１】例示的な流体吐出システムのブロック図である。
【図２】例示的な流体吐出カートリッジの斜視図である。
【図３】単一の電力供給コネクタを備えるプリントヘッドダイを有する例示的な流体吐出装置の上面図である。
【図４】単一の電力供給コネクタを備えるプリントヘッドダイを有する別の例示的な流体吐出装置の上面図である。
【図５】単一の電力供給コネクタを備えるプリントヘッドダイを有する流体吐出装置を動作させるための例示的な方法の流れ図である。
【０００４】
特定の例が上述の図面に示され、詳細に後述される。図面は必ずしも一律の縮尺に従わず、図面の様々な特徴要素および表示は、一定の尺度に従って誇張されて、又は明瞭化および／または簡潔さのために概略図で示され得る。
【０００５】
詳細な説明
デバイスの特徴要素のサイズは、減少し続けている。例えば、プリントヘッドは、ノズルの数が増加するにつれて、改善された印刷品質を実現することができる。微小電気機械システム（概して本明細書において「ＭＥＭＳ」と称する）デバイスを組み込むデバイスは、その名の通りに非常に小さく、広範囲の産業において広範囲の用途に役立ち続けている。
【０００６】
しかしながら、小さいデバイスの特徴要素をコスト効率良く且つ高い性能と信頼性で製造することは、難題となる可能性がある。プリントヘッドの例を続けると、増加したノズルの数および／または減少したプリントヘッドのサイズである。幾つかのインクジェットプリントヘッドについて、コストに関する主な幾何学的調整パラメータは、プリントヘッドダイの長さが所望の印刷スワス（幅帯状区画）により固定され得るので、プリントヘッドダイの幅とすることができる。しかしながら、プリントヘッドダイの幅は、制御回路および流体のルーティング（経路設定）により制限される可能性があり、これらの制約が対処された場合でも、残りの制約は、電気信号接続および電力接続をプリントヘッドに提供するのに必要とされる幅となる可能性がある。ボンディングパッドのサイズの低減はボンディングパッドの制約に対処するための１つの手法とすることができるが、この解決策は、ボンディング装置に対して容認できない制御要件を結果として生じる可能性がある。同様に、複数の行の千鳥に配列されたボンディングパッドが考えられるかもしれないが、この解決策は、プリントヘッドダイにフレックス回路を取り付けるために一般に使用されるハイスループット熱活性化ボンディング（Thermally Activated Bonding：ＴＡＢ）技術ではなくて、ワイヤボンディング技術を必要とする可能性がある。
【０００７】
流体吐出装置の様々な具現化形態が本明細書で説明され、係る流体吐出装置は、複数の液滴吐出器へ流体を供給するために流体吐出装置のプリントヘッドダイの長さに沿った流体供給スロットと、複数の液滴吐出器からの流体の小滴の吐出を制御するために流体供給スロットの少なくとも片側に隣接する制御回路と、制御回路に電力を供給するためにプリントヘッドダイの第１の端部にある単一の電力供給コネクタとを含む。プリントヘッドダイは、制御回路を接地に接続するためにプリントヘッドダイの、第１の端部の反対側にある第２に端部に接地コネクタを含むことができる。様々な具現化形態において、プリントヘッドダイの幅は、電力コネクタがプリントヘッドダイの各端部に配置されていた構成と比べて、プリントヘッドダイの第２の端部における電力コネクタを取り除くことによって狭くされ得る。それよりむしろ、様々な具現化形態は、プリントヘッドの全体に対して単一の電力供給コネクタを含む。様々な具現化形態において、接地コネクタは単一の接地コネクタとすることができ、この場合、第１の端部の接地コネクタが取り除かれて、プリントヘッドダイが更に狭くされることが可能になる。
【０００８】
図１は、本明細書で説明されるような単一の電力供給コネクタを含む流体吐出装置を組み込むのに適した例示的な流体吐出システム１００を示す。様々な具現化形態において、流体吐出システム１００は、インクジェットプリンタ又は印刷システムを構成することができる。流体吐出システム１００は、プリントヘッドアセンブリ１０２、流体供給アセンブリ１０４、取り付けアセンブリ１０６、媒体搬送アセンブリ１０８、電子コントローラ１１０、及び流体吐出システム１００の様々な電気構成要素へ電力を供給することができる少なくとも１つの電源１１２を含むことができる。
【０００９】
プリントヘッドアセンブリ１０２は、少なくとも１つのプリントヘッド１１４を含むことができる。プリントヘッド１１４は、例えばオリフィス又はノズルのような複数の液滴吐出器１１６へ、例えばインクのような流体を供給するためにプリントヘッドダイの長さに沿った流体供給スロットを有するプリントヘッドダイを含むことができる。プリントヘッドダイは、複数の液滴吐出器１１６からの流体の小滴の吐出を制御するために流体供給スロットの少なくとも片側に隣接する制御回路と、制御回路に電力を供給するためにプリントヘッドダイの第１の端部にある単一の電力供給コネクタ１２２と、制御回路を接地に接続するためにプリントヘッドダイの、第１の端部の反対側の第２の端部にある接地コネクタとを更に含むことができる。複数の液滴吐出器１１６は、印刷媒体１１８上へ印刷するように、印刷媒体１１８の方へ流体の小滴を吐出することができる。印刷媒体１１８は、例えば紙、カード用紙、透明媒体、ポリエステル、合板、発泡ボード、生地、キャンバスなどのような、適切なシート又はロール材料の何れかのタイプとすることができる。プリントヘッドアセンブリ１０２及び印刷媒体１１８が互いに対して移動する際に、液滴吐出器１１６からの流体の適切に順序付けられた吐出によって文字、記号、及び／又は他のグラフィックス又はイメージが印刷媒体１１８上に印刷され得るように、液滴吐出器１１６は１つ又は複数の列またはアレイに配列され得る。
【００１０】
流体供給アセンブリ１０４は、プリントヘッドアセンブリ１０２に流体を供給することができ、流体を貯蔵するためのリザーバ１２０を含むことができる。一般に、流体はリザーバ１２０からプリントヘッドアセンブリ１０２へ流れることができ、流体供給アセンブリ１０４及びプリントヘッドアセンブリ１０２は、一方向流体供給システム又は再循環流体供給システムを形成することができる。一方向流体供給システムにおいて、プリントヘッドアセンブリ１０２に供給される流体の実質的に全ては、印刷中に消費され得る。しかしながら、再循環流体供給システムにおいて、プリントヘッドアセンブリ１０２に供給される流体の一部のみが、印刷中に消費され得る。印刷中に消費されない流体は、流体供給アセンブリ１０４に戻され得る。流体供給アセンブリ１０４のリザーバ１２０は、取り外され、交換され、及び／又は詰め替えられ得る。
【００１１】
取り付けアセンブリ１０６は、媒体搬送アセンブリ１０８に対してプリントヘッドアセンブリ１０２を位置決めすることができ、媒体搬送アセンブリ１０８は、プリントヘッドアセンブリ１０２に対して印刷媒体１１８を位置決めすることができる。この構成において、印刷区域１２４は、プリントヘッドアセンブリ１０２と印刷媒体１１８との間の領域において液滴吐出器１１６に隣接して画定され得る。幾つかの具現化形態において、プリントヘッドアセンブリ１０２は、走査型プリントヘッドアセンブリである。そういうものだから、取り付けアセンブリ１０６は、印刷媒体１１８を走査するために、媒体搬送アセンブリ１０８に対してプリントヘッドアセンブリ１０２を移動させるためのキャリッジを含むことができる。他の具現化形態において、プリントヘッドアセンブリ１０２は、非走査型プリントヘッドアセンブリである。そういうものだから、取り付けアセンブリ１０６は、媒体搬送アセンブリ１０８に対して所定の位置にプリントヘッドアセンブリ１０２を固定することができる。このように、媒体搬送アセンブリ１０８は、プリントヘッドアセンブリ１０２に対して印刷媒体１１８を位置決めすることができる。
【００１２】
電子コントローラ１１０は、プロセッサ（ＣＰＵ）１２６、メモリ１２８、ファームウェア、ソフトウェア、並びにプリントヘッドアセンブリ１０２、取り付けアセンブリ１０６及び媒体搬送アセンブリ１０８と通信する及びそれらを制御するための他の電子回路を含むことができる。メモリ１２８は、揮発性メモリ（例えば、ＲＡＭ）及び不揮発性メモリ（例えば、ＲＯＭ、ハードディスク、フロッピーディスク（登録商標）、ＣＤ−ＲＯＭなど）の構成要素を含むことができ、係るメモリの構成要素は、印刷システム１００用のコンピュータ／プロセッサ実行可能なコード化命令、データ構造体、プログラムモジュール、及び他のデータの記憶装置を提供するコンピュータ／プロセッサ可読媒体を含む。電子コントローラ１１０は、コンピュータのようなホストシステムからデータ１３０を受け取り、メモリ１２８にデータ１３０を一時的に格納することができる。一般に、データ１３０は、電子的、赤外線、光学的または他の情報伝達経路に沿って印刷システム１００に送信され得る。データ１３０は、例えば印刷されるべき文章（ドキュメント）および／またはファイルを表すことができる。そういうものだから、データ１３０は、印刷システム１００の印刷ジョブを形成することができ、１つ又は複数の印刷ジョブコマンド及び／又はコマンドパラメータを含むことができる。
【００１３】
様々な具現化形態において、電子コントローラ１１０は、液滴吐出器１１６からの流体滴（液滴）の吐出に関してプリントヘッドアセンブリ１０２を制御することができる。従って、電子コントローラ１１０は、文字、記号および／または他のグラフィックス又はイメージを印刷媒体１１８上に形成する、吐出された流体滴のパターンを画定することができる。吐出された流体滴のパターンは、データ１３０からの印刷ジョブコマンド及び／又はコマンドパラメータにより決定され得る。
【００１４】
様々な具現化形態において、印刷システム１００は、本明細書で説明されるような単一の電力供給コネクタ１２２を有するプリントヘッドダイを具現化するのに適したサーマルインクジェット（ＴＩＪ）プリントヘッド１１４を備えるドロップオンデマンドのサーマルインクジェット印刷システムである。幾つかの具現化形態において、プリントヘッドアセンブリ１０２は単一のＴＩＪプリントヘッド１１４を含むことができる。他の具現化形態において、プリントヘッドアセンブリ１０２は、幅広いＴＩＪプリントヘッド１１４を含むことができる。ＴＩＪプリントヘッドに関連した製造プロセスは、本明細書で説明されるプリントヘッドダイの一体化（集積化）によく適しており、圧電プリントヘッドのような他のプリントヘッドのタイプも、単一の電力供給コネクタ１２２を有するプリントヘッドダイを具現化することができる。
【００１５】
様々な具現化形態において、プリントヘッドアセンブリ１０２、流体供給アセンブリ１０４、及びリザーバ１２０は、一体型プリントヘッドカートリッジのような交換可能なデバイスに一緒に収容され得る。図２は、本開示の具現化形態に従って、プリントヘッドアセンブリ１０２、インク供給アセンブリ１０４、及びリザーバ１２０を含むことができる例示的なインクジェットカートリッジ２００の斜視図である。１つ又は複数のプリントヘッド２１４に加えて、インクジェットカートリッジ２００は、電気コンタクト２３２、インク（又は他の流体）供給チャンバ２３４を含むことができる。幾つかの具現化形態において、カートリッジ２００は、１つの色のインクを貯蔵する供給チャンバ２３４を有することができ、他の具現化形態において、それぞれが異なる色のインクを貯蔵する複数のチャンバ２３４を有することができる。電気コンタクト２３２は、コントローラ（例えば、図１に関連して本明細書で説明された電気コントローラ１１０のような）へ及び当該コントローラからの電気信号および電力（例えば、電源１１２から）を伝えることにより、プリントヘッド２１４の液滴吐出器２１６及び片側熱感受を通じてインク滴を吐出させる。
【００１６】
図３は、プリントヘッドダイ／基板３３８の第１の端部３３６に単一の電力供給コネクタ３２２を有する例示的な流体吐出装置３００の上面図を示す。様々な具現化形態において、流体吐出装置３００は、少なくとも部分的に、プリントヘッド又はプリントヘッドアセンブリを含むことができる。幾つかの具現化形態において、例えば、流体吐出装置３００は、インクジェットプリントヘッド又はインクジェット印刷アセンブリとすることができる。本明細書で使用される限り、用語「コネクタ」は、ボンディングパッド、コンタクトパッド等を含むことができる。
【００１７】
図示されたように、流体吐出装置３００は、プリントヘッドダイ３３８の第１の端部３３６と第２の端部３４２との間にプリントヘッドダイ３３８の長さに沿って平行に延在する複数の流体供給スロット３４０（破線で示された、下にある層）を、プリントヘッドダイ３３８の中に有する。他の具現化形態において、流体吐出装置３００は、図示された２つの流体供給スロット３４０よりも多い流体供給スロットを含むことができる。更に他の具現化形態において、流体吐出装置３００は、単一の流体供給スロット３４０を含むことができる。
【００１８】
流体供給スロット３４０のそれぞれは、対応する複数の液滴吐出器３１６に流体を供給するように構成され得る。様々な具現化形態において、及び図示されたように、複数の液滴吐出器３１６は、液滴吐出器３１６の複数の列を構成することができる。留意すべきは、例示された例が、１つの流体供給スロット３４０当たり液滴吐出器３１６の２つの列を示すが、多くの具現化形態は、より少ない又はより多くの列、及び／又は図示されたものよりも多い又は少ない液滴吐出器３１６を有する列を含むことができる。図示されていないが、流体吐出装置３００は、複数のアクチュエータを更に含み、この場合、各流体吐出器３１６に近接したアクチュエータにより、流体が、液滴吐出器３１６の対応する１つを通じて吐出される。幾つかの具現化形態において、アクチュエータは、抵抗素子または加熱素子を含むことができる。幾つかの具現化形態において、アクチュエータはそれぞれ、分割抵抗または単一の長方形抵抗を含む。他の具現化形態において、例えば、圧電アクチュエータ又は他のアクチュエータのような、他のタイプのアクチュエータが、アクチュエータに使用され得る。
【００１９】
プリントヘッドダイ３３８は、複数の液滴吐出器３１６からの流体の小滴の吐出を制御するために、各流体供給スロット３４０の少なくとも片側に隣接した制御回路３４４（制御回路３４４を含む領域が概して、破線により示される）を含むことができる。他の具現化形態において、プリントヘッドダイ３３８は、各流体供給スロット３４０の片側だけに隣接した制御回路３４４を含むことができる。様々な具現化形態において、制御回路３４４は、液滴吐出器３１６の個々またはセット（組）を制御するための論理回路を含むことができる。これら具現化形態の様々なものにおいて、例えば、制御回路３４４は、液滴吐出器３１６の個々またはセットを制御するために、トランジスタ、アドレスライン等を含むことができる。
【００２０】
本明細書で言及される限り、プリントヘッドダイ３３８は、制御回路３３４に電力を供給するために、プリントヘッドダイ３３８の第１の端部３３６に単一の電力供給コネクタ３２２を含むことができ、その結果、第２の端部３４２は電力供給コネクタを持っていない。第２の端部３４２において電力供給コネクタを取り除き、プリントヘッドダイ３３８全体に論理回路電力を供給するために単一の電力供給コネクタ３２２を用いることにより、プリントヘッドダイ３３８の全幅は、第１の端部３３６及び第２の端部３４２に電力供給コネクタを含む構成に比べて、低減され得る。幾つかの具現化形態において、電力供給の忠実性は、プリントヘッドダイ３３８上での配線を広くすることにより維持され得るが、これらの具現化形態において、プリントヘッドダイ３３８の幅が増加するかもしれないが、仮にあったとしても、第２の端部３４２の電力供給コネクタを省くことによってもたらされる幅の節約よりも少ない。
【００２１】
単一の電力供給コネクタ３２２に加えて、プリントヘッドダイ３３８は、プリントヘッドダイ３３８の動作を容易にするための回路に対する他の接続も含むことができる。例えば、プリントヘッドダイ３３８は、電力経路および戻り経路を液滴吐出器３１６に接続するためのノズル電力および接地コネクタ（図３において、ひとまとめにして３４６により表す）、及び制御回路３４４に対するデジタル通信（例えば、アドレスモード順序付け、ステータス情報の読出し、どの液滴吐出器（単数または複数）３１６を噴射させるかの信号伝送など）のための信号コネクタ３４８を含むことができる。
【００２２】
プリントヘッドダイ３３８は、プリントヘッドダイ３３８の第１の端部３３６の反対側の第２の端部３４２に、制御回路３４４を接地に接続するための接地コネクタ３５０も含むことができる。様々な具現化形態において、接地コネクタ３５０は、プリントヘッドダイ３３８の全体に対する単一の接地コネクタとすることができ、それによりプリントヘッドダイ３３８の全幅は、第１の端部３３６及び第２の端部３４２に接地コネクタを含む構成に比べて低減されることが可能になる。しかしながら、他の具現化形態において、プリントヘッドダイ３３８は、プリントヘッドダイ３３８の第１の端部３３６に別の接地コネクタを含むことができる。例えば、図４に示されるように、流体吐出装置４００はプリントヘッドダイ４３８を含み、そのプリントヘッドダイ４３８は、プリントヘッドダイ４３８の第１の端部４３６にノズル電力および接地コネクタ４４６、信号コネクタ４４８、及び単一の電力供給コネクタ４２２、第２の端部４４２に接地コネクタ４５０、並びに第１の端部４３６に別の接地コネクタ４５０を含む。
【００２３】
図５は、本明細書に説明された様々な実施形態に従って、単一の電力供給コネクタを有する流体吐出装置の動作に関連した例示的な方法５００の流れ図である。方法５００は、図１、図２、図３、及び図４に関連して本明細書に説明された様々な具現化形態に関連付けられることができ、方法５００に示された動作の詳細は、係る具現化形態の関連した説明に見出され得る。方法５００の動作は、図１に関連して本明細書で説明されたメモリ１２８のような、コンピュータ／プロセッサ可読媒体に格納されたプログラミング命令として具現化され得る。一具現化形態において、方法５００の動作は、図１に関連して本明細書で説明されたプロセッサ１２６のような、プロセッサにより係るプログラミング命令を読み出して実行することにより達成され得る。留意すべきは、説明および／または図示された様々な動作は概して、複数の別個の動作として見なされ、この結果として様々な具現化形態を理解する際に役立つことができる。説明の順序は、明記されていない限り、これらの動作が順序に依存していることを意味するように解釈されるべきではない。更に、幾つかの具現化形態は、説明され得るものよりも多い又は少ない動作を含むことができる。
【００２４】
さて、図５を参照すると、方法５００は、ブロック５０２において、プリントヘッドダイの流体供給スロットにより流体を複数の液滴吐出器に供給することから始まる又は着手することができる。
【００２５】
方法５００はブロック５０４に進むことができ、この場合、プリントヘッドダイの端部にある単一の電力供給コネクタにより流体供給スロットの少なくとも片側に隣接した制御回路に電力が供給される。様々な具現化形態において、方法５００は、プリントヘッドダイの第１の端部の反対側の第２の端部にある接地コネクタにより、制御回路を接地に接続することを含むことができる。更なる具現化形態において、方法５００は、単一の電力供給コネクタにより、プリントヘッドダイの別の流体供給スロットの少なくとも片側に隣接した別の制御回路に電力を供給することを含むことができる。これら具現化形態の様々なものにおいて、方法５００は、プリントヘッドダイの第２の端部にある接地コネクタにより、他の制御回路を接地に接続することを含むことができる。
【００２６】
方法５００は、制御回路により、複数の液滴吐出器からの流体滴の吐出を制御することを進めることができる。様々な具現化形態において、制御回路は、例えば噴射チャンバ及び液滴吐出器に近接した抵抗素子、加熱素子、又は圧電素子のような１つ又は複数のアクチュエータを制御して、液滴吐出器の対応する１つを通じて流体を吐出させることができる。
【００２７】
本明細書において、特定の具現化形態が例示されて説明されたが、当業者には理解されるように、同じ目的を達成するために適合される多種多様の代替および／または等価の具現化形態が、本開示の範囲から逸脱せずに、図示および説明された具現化形態の代わりになることができる。当業者には容易に理解されるように、具現化形態は、多種多様の態様で具現化され得る。本明細書は、本明細書で説明された具現化形態のあらゆる改作態様または変形態様を網羅することが意図されている。むしろそれ故に、具現化形態は、特許請求の範囲およびその等価物によってのみ制限されることが明白である。
【図１】
2016538169.tif 000003
【図２】
2016538169.tif 000004
【図３】
2016538169.tif 000005
【図４】
2016538169.tif 000006
【図５】
2016538169.tif 000007
【国際調査報告】
2016538169.tif 000008
2016538169.tif 000009